(57)【要約】【課題】集塵効果に優れた多段式、多極式又は多極多段式の湿式静電集塵装置において、所望の集塵効果を効率よく発揮させるための構造を得る。【解決手段】気体が流通する通路が形成された集塵室１と、この集塵室を挟む位置に配された碍子固定部４０の碍子４２で固定され開口部４１を介して前記集塵室内に配置される荷電供給液供給管４と、前記集塵室１内において対向配置された２枚以上の集塵電極板２と、隣接集塵電極板間に配置され前記荷電供給液供給管４に端部が接続されることで高電圧荷電水が供給される滴下ノズル３１を有する荷電液供給パイプ３とを備えた静電集塵装置において、前記荷電供給液供給管４を集塵室１から遮断する遮断板２０を設けて荷電供給液供給管配置室１０を形成し、前記遮断板２０に荷電供給液供給管４に接続される荷電液供給パイプ３が貫通する孔部２３を設け、この孔部２３の開口周囲を丸みを持たせた開口縁とする。【選択図】  図１
2007301457.tif 000002
【特許請求の範囲】
【請求項１】
下方から上方に向けて気体が流通する通路が形成された集塵室と、この集塵室を挟む位置に配され前記集塵室と連通する開口部を有する碍子固定部と、前記碍子固定部において碍子で固定され前記開口部を介して前記集塵室内に配置される荷電供給液供給管と、前記集塵室内において所定間隔を有して対向配置された２枚以上の集塵電極板と、隣接集塵電極板間に電極板横幅に沿ってそれぞれ配置されるとともに前記荷電供給液供給管に端部が接続されることで高電圧荷電水が供給されるノズルを有する荷電液供給パイプと、を備えた静電集塵装置において、
前記荷電供給液供給管を集塵室から遮断する遮断板を設けて荷電供給液供給管配置室を形成し、前記遮断板に荷電供給液供給管に接続される荷電液供給パイプが貫通する孔部を設け、該孔部の開口周囲を丸みを持たせた開口縁として形成したことを特徴とする静電集塵装置。
【請求項２】
断面が円弧状のパイプにより前記孔部の開口周囲を被嵌する請求項１に記載の静電集塵装置。
【請求項３】
前記荷電供給液供給管から分岐された複数の荷電液供給パイプを設け、前記孔部を分岐された各荷電供給パイプが貫通する横長形状の長孔として成る請求項１に記載の静電集塵装置。
【請求項４】
前記遮断板を網状体で形成するとともに、前記網状体上部に流体を噴射する洗浄ノズルを設置する請求項１又は請求項３に記載の静電集塵装置。
【発明の詳細な説明】
【技術分野】
【０００１】
本発明は、静電集塵装置に関し、特にダストミストやヒュームのような微粒子からなる汚染物をガス流体からきわめて高効率で除去することが可能な湿式荷電液滴（静電微粒化）電気集塵装置に関する。
【背景技術】
【０００２】
従来の湿式静電集塵装置は、例えば図３に示すように、底面１１に形成した気体の導入口１２と頂面１３に形成した排出口１４との間に貫通して形成される気体の通路１５を有する集塵室1内に、横方向に所定間隔を有して一対の集塵電極板２，２を対向配置して構成されている。集塵室１を挟む位置には、集塵室１と連通する各開口部４１が形成され、その外側にそれぞれ装着された碍子固定部４０内において碍子４２で固定されて連結された荷電液供給パイプ３が、集塵室１の側壁に設けた開口部４１を介して集塵室１内に位置するように構成されている。荷電液供給パイプ３は、内部を荷電液が供給される送液部としている。
そして、この荷電液供給パイプ３は、一対の集塵電極板２，２の中央上方位置に配置され、荷電液供給パイプ３下面には長さ方向に並設された複数の滴下ノズル３１が所定の間隔で突設されている。（特許文献１参照）。
【０００３】
この構成により、荷電供給パイプ３に高電圧荷電液が供給されると、複数の滴下ノズル３１から液を滴下するに際して、接地された集塵電極板２，２との間に生じる電界の影響を受け、滴下ノズル３１から滴下される液の小滴が静電微粒化となり、きわめて高い表面電荷密度を有し、これに対して集塵室１の底面１１に形成した導入口１２から加えられるガス流体中のダストやヒュームのような微粒子からなる汚染物を高効率で除去可能とするものである。
【０００４】
また、図４に示すように、湿式静電集塵装置の効率を上げる目的で一対の集塵電極板２，２及び荷電液供給パイプ３で構成される集塵室１を上下方向に重ねた多段式の湿式静電集塵装置が提案されている。
この集塵装置によれば、各荷電液供給パイプ３に対して荷電液を供給するために各荷電液供給パイプ３の端部に連結される荷電供給液供給管４が配置された荷電供給液供給室１０が集塵室１の側部に上下方向に複数個多段に配置された構造となっている。
この湿式静電集塵装置は、集塵電極板２，２及び荷電液供給パイプ３の複数組を上下方向に配設して多段式とすることにより、集塵の高効率を図り例えばフィルター方式では補足困難な微粒子の集塵を可能にするものである。
【０００５】
更に、図５に示すように、湿式静電集塵装置の効率を上げる目的で集塵室１において、３個以上の集塵電極板２を平行に配設し、隣接電極間にそれぞれ荷電液供給パイプ３を配置した多極式の湿式静電集塵装置が提案されている。
この集塵装置によれば、集塵室１の一端側に配置された荷電供給液供給管４に対して、各荷電液供給パイプ３が分岐するようにその端部が連結され、複数の荷電液供給パイプ３に対して荷電液を供給するために荷電供給液供給管４が荷電液供給パイプ３に対して直角方向に沿うように荷電供給液供給室１０に配置された構造となっている。
【０００６】
この湿式静電集塵装置は、複数の集塵電極板２及び分岐された荷電供給パイプ３を並設させることにより、一度に多量のダストミストやヒュームのようなガス流体を処理することを可能にするものである。
【発明の開示】
【発明が解決しようとする課題】
【０００７】
しかしながら、上述の多段式又は多極式の湿式静電集塵装置では、集塵室１の側方位置に配置した荷電供給液供給室１０内に、荷電液供給パイプ３に荷電液を供給するための荷電供給液供給管４が配置されているが、集塵室１と荷電供給液供給室１０との間は製作工程を減少させる等の理由から連通（空所１７が形成）された構造となっている。
【０００８】
そのため、複数の集塵電極板２，２が並設された集塵部１内の底面１１に形成した気体の導入口１２と、頂面１３に形成した排出口１４との間の気体の流通路１５を流れるべきダストミストやヒュームのようなガス流体が、例えば図４に示される矢印のように、空所１７を介して荷電供給液供給室１０内をバイパスして流れてしまう。その結果、多段式又は多極式として期待された集塵能力を充分に発揮することができず、所定の集塵効果を得ることができないという問題点があった。
【特許文献１】特公昭５２−２５５９０号
【０００９】
本発明は上記実情に鑑みてなされたもので、集塵効果に優れた多段式、多極式又は多極多段式の湿式静電集塵装置において、所望の集塵効果を効率よく発揮させるための構造を提供することを目的としている。
【課題を解決するための手段】
【００１０】
上記目的を達成するため本発明（請求項１）は、下方から上方に向けて気体が流通する通路が形成された集塵室１と、この集塵室を挟む位置に配され前記集塵室に対して開口部４１を介して連通する碍子固定部４０と、前記碍子固定部において碍子４２で固定され前記開口部４１を介して前記集塵室内に配置される荷電供給液供給管４と、前記集塵室１内において所定間隔を有して対向配置された２枚以上の集塵電極板２と、隣接集塵電極板間に電極板横幅に沿ってそれぞれ配置されるとともに前記荷電供給液供給管４に端部が接続されることで高電圧荷電水が供給されるノズル（滴下ノズル３１）を有する荷電液供給パイプ３と、を備えた静電集塵装置において、次の構成を含むことを目的としている。
前記荷電供給液供給管４を集塵室１から遮断する遮断板２０を設けて荷電供給液供給管配置室１０を形成する。
前記遮断板２０に荷電供給液供給管４に接続される荷電液供給パイプ３が貫通する孔部２３を設ける。
この孔部２３の開口周囲を丸みを持たせた開口縁として形成する。
【００１１】
請求項２の静電集塵装置は、請求項１において、断面が円弧状のパイプにより前記孔部２３の開口周囲を被嵌することを特徴としている。
【００１２】
請求項３の静電集塵装置は、請求項１において、前記荷電供給液供給管４から分岐された複数の荷電液供給パイプ３を設け、前記孔部２３を分岐された各荷電供給パイプ３が貫通する横長形状の長孔として成ることを特徴としている。
【００１３】
請求項４の静電集塵装置は、請求項１又は請求項３において、前記遮断板２０を網状体２２で形成するとともに、前記網状体上部に流体を噴射する洗浄ノズル２４を設置することを特徴としている。
遮断板２０を網状体２２とすることにより、両側面に付着した吸着物を一方側からの洗浄ノズル２４からの流体の噴射で洗浄除去することが可能となる。
【発明の効果】
【００１４】
本発明によれば、各分岐管状電極３に荷電液を供給するための荷電供給液管４が配置された荷電供給液供給管配置室１０と集塵室１との間に遮断板２０を配置したので、集塵部１を通過する流体が荷電供給液供給管配置室１０内に進入することがない。従って、荷電供給液供給室１０内をバイパスすることなく集塵室１内に配置された集塵電極板２，２の間を通過して上方へ流れていくので、確実に集塵させることができる。
【発明を実施するための最良の形態】
【００１５】
次に、本発明を実施するための最良の形態について、図面を参照しながら説明する。
図１は、本発明の好ましい実施の形態を示すもので、多極多段式の静電集塵装置である。全体の構成は上述した図３乃至図５で示した従来例の電気集塵装置１とほぼ同様であり、同一構成をとる部分については同一符号を付して詳細な説明を省略する。
【００１６】
実施形態における湿式荷電液滴（静電微粒化）電気集塵装置は、底面に形成した気体の導入口と頂面に形成した排出口との間に流通して形成される気体の流通路１５を有する集塵室１内に、横方向に所定間隔を有して対向配置した複数の集塵電極板２が並設されている。隣接する集塵電極板２，２間の中央上方位置及び下方位置には、内部を荷電液の送液部とした複数の荷電液供給パイプ３が二段状態で配置されている。
各段の各荷電液供給パイプ３に荷電液を供給するための荷電供給液管４は、集塵室１の一端側において、区画板１９により区画された各荷電供給液供給管配置室１０に配置されている。
そして、集塵室１と、各荷電供給液管４が配置された荷電供給液供給管配置室１０との間に、集塵室１内を流通する流体が各荷電供給液供給室１０への流通を遮断する遮断板２０が配置されている。
【００１７】
遮断板２０は、枠状の本体２１と金網等の網状体２２とからなり、各荷電供給パイプ３を貫通させる孔部２３が形成されている。この孔部２３は、遮断板２０の各荷電供給液管４に対応して形成され、両端が円形となる長穴で構成されている。また、網状体２２は、集塵室１内を上昇するダストミストやヒュームのようなガス流体が荷電供給液供給管配置室１０側へ通過しない大きさのメッシュで形成されている。
【００１８】
また、孔部２３の開口形状は、各分岐管状電極３に接触、或いは放電等がないような距離を隔てる必要があり、特に孔部２３の孔縁部分に突起などの放電誘発部位を設けないようにしている。そのため、孔部の開口周囲を丸みを持たせた開口縁として形成する必要がある。例えば図２（Ａ）に示されるように、断面形状にアール２３ａを持たせた形状としたり、図２（Ｂ）に示されるように、断面が円弧状又は湾曲状のパイプ２３ｂのような部材で孔部２３の開口周囲を被嵌させる。
【００１９】
また、荷電供給液供給室１０内には、荷電供給液管４より上方で且つ遮断板２０に近い位置に荷電供給液供給管４の長手方向に沿って、遮断板２０に向けて多数の洗浄ノズル２４が遮断板２０に向かって形成された洗浄管２５が配置されている。洗浄管２５には、所望のタイミング（例えば、稼動終了後の一定時間）で加圧された洗浄水が供給されるように構成されている。
【００２０】
上記構成によれば、従来例において荷電供給液供給室１０と集塵室１との間に形成される空所１７に配慮された遮断板２０を設置することにより、集塵室１内を上昇するダストミストやヒュームのようなガス流体が荷電供給液供給室１０内をバイパスすることがなく、確実に集塵電極板２，２の間を通過するので所定の集塵効果を得ることができる。
【００２１】
また、荷電供給液供給室１０内において、遮断板２０に向けて多数の洗浄ノズル２４が設置されているので、洗浄管２５に加圧された洗浄液を供給することで、洗浄ノズル２４から流体を噴射させることができ、集塵装置の稼動により遮断板２０の表面に付着した塵等の吸着物を洗い流すことができる。この場合に、遮断板２０を網体状２２で構成することにより、一方側からの洗浄液の噴射で網状体２２の両側面（荷電供給液供給管配置室１０側及びその反対側面）を洗浄することができる。
【００２２】
上記例では、遮断板２０を網状体２２に構成したが、孔部２３が形成された板体を使用してもよい。この場合、板体の集塵室１側を洗浄するためには、集塵室１内に洗浄ノズル（洗浄管）を配置し、また、板体の両側を洗浄するためには、洗浄ノズル（洗浄管）を板体の両側面に配置する必要がある。
【００２３】
上記例では、多極多段式の静電集塵装置について説明したが、多段式であるが多極でないもの、又は、多極式であるが多段でない電気集塵装置の構造にも適用することができる。
【図面の簡単な説明】
【００２４】
【図１】本発明の実施形態の一例の湿式荷電液滴電気集塵装置の一部を示す斜視説明図である。
【図２】（Ａ）及び（Ｂ）は遮断板における孔部構造を示す断面説明図である。
【図３】従来の湿式荷電液滴電気集塵装置を示す斜視説明図である。
【図４】従来の多段式の湿式荷電液滴電気集塵装置の構造を説明するための側面説明図である。
【図５】従来の多極式の湿式荷電液滴電気集塵装置の概略構造を示す斜視説明図である。
【符号の説明】
【００２５】
１  集塵室
２  集塵電極板
３  荷電液供給パイプ
４  荷電供給液供給管
１０  荷電供給液供給管配置室
１１  底面
１２  導入口
１３  頂面
１４  排出口
１５  流通路
１９  区画板
２０  遮断板
２２  網状体
２３  孔部
２４  洗浄ノズル
２５  洗浄管
３１  滴下ノズル
４０  碍子固定部
４１  開口部
４２  碍子
【図１】
2007301457.tif 000003
【図２】
2007301457.tif 000004
【図３】
2007301457.tif 000005
【図４】
2007301457.tif 000006
【図５】
2007301457.tif 000007